(57)【要約】【課題】ワイヤの束のワイヤに損傷を与えず、また工具の使用者を負傷させずにワイヤの束上のワイヤタイを切断するための方法及び工具を提供する。【解決手段】シールドは、カッターの一方の側面を覆っており、また、シールドには、刃先と連絡する第１のシールドスロット及び第２のシールドスロットが形成されている。本体部分に揺動可能に連結されたハウジングは、カッターの他方の側面を覆っており、また、ハウジングには、刃先と連絡する第１のハウジングスロット及び第２のハウジングスロットが形成されている。ハウジングは、第１の位置、第２の位置及び第３の位置の間で揺動される。第１の位置では、第１のハウジングスロットは、第１のシールドスロットと連絡して、切断目的で刃先を露出させる。第２の位置では、第１のハウジングスロットは、第１のシールドスロットと連絡せず、したがって、刃先を覆う。【選択図】図１
2015080723.tif 000002
【特許請求の範囲】
【請求項１】
少なくとも１本のワイヤの周囲に巻き付けられたタイラップの切断に使用される工具であって、
端部及び該端部から離間された第２の部分を有する本体部分と、
前記第２の部分に連結され、タイラップを切断するように構成された刃先を有する、カッターと、
を備え、
前記第２の部分には、前記刃先と連絡する第２の部分スロットが形成されており、該第２の部分スロットが、
口部及び該口部に実質的に対向する床部分であって、前記口部が、第１の幅を有し、前記床部分が、第２の幅を有し、前記第２の幅が、前記第１の幅よりも大きい、口部及び床部分と、
前記床部分に対して実質的な鋭角を成して前記口部の近傍から前記床部分の近傍まで延在する壁部分と、
を有する工具。
【請求項２】
前記カッターには、第１の部分及び第２の部分並びに第１の側面及び該第１の側面の略反対側にある第２の側面が形成されており、
前記第２の部分が、前記カッターの前記第１の側面の大部分を覆っており、
前記本体部分に連結され、前記カッターの前記第２の側面の大部分を覆うハウジングをさらに備え、
前記ハウジングには、少なくとも１つのハウジングスロットが形成されており、該少なくとも１つのハウジングスロットが、タイラップの切断に使用する目的で前記刃先を露出させるために、前記カッターの前記第２の側面、前記第２の部分スロット及び前記カッターの前記刃先と選択的に連絡する、請求項１に記載の工具。
【請求項３】
前記ハウジングが、第１の位置に揺動可能であり、前記ハウジングスロットが、前記第２の部分スロットと実質的に連絡し、前記刃先の前記第１の部分が、タイラップの切断に使用するために露出される、請求項２に記載の工具。
【請求項４】
前記ハウジングが、第２の位置に揺動するように構成されており、前記ハウジングスロットが、前記第２の部分スロットと実質的に連絡せず、前記刃先の前記第１の部分が実質的に覆われる、請求項３に記載の工具。
【請求項５】
前記第２の部分が、シールドスロットが形成されたシールドを含み、
前記少なくとも１つのハウジングスロットが、第１のハウジングスロット及び第２のハウジングスロットを含み、
前記ハウジングが、第３の位置に揺動するように構成されており、前記第２のハウジングスロットが、前記シールドスロットと実質的に連絡し、前記刃先の前記第２の部分が、タイラップの切断に使用するために露出される、請求項４に記載の工具。
【請求項６】
ハンドル空隙部が形成されたハンドルをさらに備え、
前記本体部分の前記端部が、前記本体部分が実質的に前記ハンドル空隙部内の収納位置と前記ハンドル空隙部から実質的に外側に延在する伸長位置との間で前記ハンドルに対して動くように、前記ハンドルに連結されている、請求項１に記載の工具。
【請求項７】
前記ハウジングに連結され、前記本体部分と相対的な前記第１の位置、前記第２の位置及び前記第３の位置のうちの少なくとも１つに前記ハウジングを選択的にロックするロッキング部材をさらに備える、請求項５に記載の工具。
【請求項８】
前記カッターに回転軸線が設けられており、前記カッターが、前記カッターの前記刃先がタイラップを切断するために使用されるときに前記回転軸線を中心に自動的に回転するように構成されている、請求項２に記載の工具。
【請求項９】
前記第２の部分スロットの近傍にある第２の部分スペーサであって、前記ハウジングが前記第１の位置又は前記第２の位置のどちらかにあるときに前記少なくとも１本のワイヤと前記刃先との間の隙間を維持するように構成された、第２の部分スペーサと、
前記ハウジングスロットの近傍で前記ハウジングにつながっているハウジングスペーサであって、前記ハウジングが前記第１の位置又は前記第２の位置のどちらかにあるときに前記少なくとも１本のワイヤと前記刃先との間の隙間を維持するように構成された、ハウジングスペーサと、
をさらに備える、請求項４に記載の工具。
【請求項１０】
前記カッターが、回転軸線を中心に回転するように構成されており、
前記ハウジングが、前記ハウジングスロットの近傍に、前記回転軸線に向かって略半径方向に延在する少なくとも１つのタイラップ凹所を含み、
前記タイラップ凹所が、前記タイラップが切断されるときに前記タイラップが移動し得る解放領域を形成するように構成されている、請求項２に記載の工具。
【請求項１１】
前記カッターには、回転軸線が設けられており、
前記ハウジングスロットの近傍で前記ハウジングにつながっているハウジングスペーサであって、前記ハウジングが前記カッターの前記第２の側面、前記第２の部分スロット及び前記カッターの前記刃先と連絡しているときに前記少なくとも１本のワイヤと前記刃先との間の隙間を維持するように構成された、ハウジングスペーサをさらに備え、
前記ハウジングスペーサには、先端が形成されており、前記ハウジングスペーサの前記先端と前記回転軸線との間には、関連する所定の距離が設けられている、請求項２に記載の工具。
【請求項１２】
使用者の指の少なくとも１本を受け入れるために構成された可撓性ストラップであって、前記使用者が前記工具を保持することを容易にする可撓性ストラップをさらに備える、請求項１に記載の工具。
【請求項１３】
タイラップを切断するために前記刃先を使用する前に前記刃先の近傍から前記ワイヤを離間させるための手段をさらに備える、請求項１に記載の工具。
【請求項１４】
少なくとも１本のワイヤの周囲に巻き付けられた、側部分を有するタイラップを切断するための切断工具を操作する方法であって、
本体部材を用意するステップであって、前記本体部材が、該本体部材に回転可能に連結されたカッターと前記カッターの第１の側面を実質的に覆うシールドとを有し、前記シールドには、前記カッターの略弓形の刃先の部分と連絡する少なくとも１つのシールドスロットが形成されている、ステップと、
前記本体部材に揺動可能に連結されたハウジングを用意するステップであって、前記ハウジングが、前記カッターの第２の側面の大部分を覆い、前記カッターの前記刃先と連絡する少なくとも１つのハウジングスロットが形成された、ステップと、
前記ハウジングを第１位置に動かすステップであって、前記ハウジングスロットが、前記シールドスロットと実質的に連絡せず、前記刃先の前記部分が、実質的に覆われる、ステップと、
前記ハウジングを第２位置に動かすステップであって、前記ハウジングスロットが、前記シールドスロットと実質的に連絡し、前記刃先の前記部分がタイラップの切断に使用するために露出される、ステップと、
前記刃先の近傍から前記ワイヤを離間させるステップと、
前記ワイヤを切断することなく前記タイラップを少なくとも部分的に切断するために前記刃先を前記タイラップに押し付けるステップと、
を含む方法。
【請求項１５】
口部及び該口部に実質的に対向する床部分を有する前記少なくとも１つのハウジングスロット又は前記少なくとも１つのシールドスロットを用意するステップであって、前記口部が第１の幅を有し、前記床部分が第２の幅を有し、前記第２の幅が、前記第１の幅よりも大きく、壁部分が、前記床部分に対して実質的な鋭角を成して前記口部の近傍から前記床部分の近傍まで延在するステップと、
前記少なくとも１本のワイヤと略平行な動作を用いて前記本体部材を動かすステップと、
前記タイラップを前記壁部分に係合させるステップと、
前記刃先によって前記タイラップの前記側部分を切断するステップと、
前記タイラップの前記側部分の切断部分を前記床部分に向かって摺動させるステップと、
をさらに含む、請求項１４に記載の方法。
【発明の詳細な説明】
【技術分野】
【０００１】
「ジップタイ」としても知られるタイラップなどのファスナは、一般に、工業環境で様々な目的のために使用される。例えば、このようなタイラップは、一般に、束になっているワイヤを固定するために使用される。特にワイヤを配線する際に複数束のワイヤを結束するためにタイラップを使用することは一般的である。ワイヤ束を結束することは、ワイヤの設置を容易にするために同様の種類のワイヤをひとまとめにすることを可能にする。さらに、タイラップは、細長いワイヤがもつれることを防止し、より良好なワイヤの管理を可能にする。
【背景技術】
【０００２】
周知のタイラップは、一体の固定機構を有する細長部分を含む。タイラップの先端は、固定機構の開口部に通される。固定機構は、細長部分の長手方向に沿って互いに離間された歯と係合するタブを含む。タブは、細長部分を固定機構に通して引っ張ると一連の歯と係合する。さらに、タブは、細長部分が取付け後に外れてしまうことを効果的に防止するラチェットとして機能する。
【発明の概要】
【発明が解決しようとする課題】
【０００３】
タイラップが、ワイヤ束の設置後に及び／又は後の保守点検作業中に外れてしまうことがたまにある。典型的には、作業者は、タイラップを取り外すために従来のワイヤカッター、ナイフ(razor knife)、又は同様の切断工具を使用する。タイラップを取り外している最中に、複数のワイヤのうちの１本を覆っている絶縁体が、切断工具によって多少傷つけられたり、又は切断されたりする場合がある。損傷した絶縁体は、修理を必要とし、又は、ワイヤ及び／若しくは束のワイヤの交換を必要とする場合があり、このような損傷は、費用のかかる及び／又は時間を消耗させる機能停止又は遅延をもたらす。さらに、場合によって、従来の切断工具は、ブレードを露出させており、これは、注意を必要とする軽傷を負わせることがあり、最終的にさらなる遅延をもたらすことがある。
【０００４】
上述した問題の少なくとも一部及び他の潜在的な問題に対処する方法及び装置を実現することが望ましい。さらに、ワイヤ束のワイヤに損傷を与えず、また工具の使用者を負傷させずにワイヤ束上のワイヤタイを切断するための方法及び工具を提供することは有益である。
【課題を解決するための手段】
【０００５】
本開示の例は、一般に、少なくとも１本のワイヤの周囲に巻き付けられたタイラップの切断に使用される切断工具及び切断方法に関する。一般に、例示的な実施態様は、少なくとも１本のワイヤの周囲に巻き付けられたタイラップの切断に使用される工具を含む。この工具は、端部及び該端部から離間された第２の部分を有する本体部分並びにタイラップを切断するように構成された刃先を有する、第２の部分に連結されたカッターを備えてもよい。第２の部分には、刃先と連絡する第２の部分スロットであって、口部及び該口部に実質的に対向する床部分を有する第２の部分スロットが形成されている。口部は、第１の幅を有し、床部分は、第２の幅を有し、第２の幅は、第１の幅よりも大きい。壁部分は、床部分に対して実質的な鋭角を成して口部の近傍から床部分の近傍まで延在する。
【０００６】
別の例示的な実施態様では、少なくとも１本のワイヤの周囲に巻き付けられたタイラップの切断に使用される工具を提供し、この工具は、端部及び該端部から離間された第２の部分を有する本体部分を備える。カッターは、第２の部分に連結されており、タイラップを切断するように構成された刃先を有する。カッターは、回転軸線を中心に回転するように構成されており、第１の側面及び該第１の側面の略反対側にある第２の側面を有する。第２の部分は、第１の直径を有し、回転軸線と実質的に同軸の略リング形状の第１の突起を含む。略半円形状の第２の突起は、回転軸線と実質的に同軸であり、第１の直径よりも大きな第２の直径を有する。第２の突起は、カッターの第１の側面に実質的に接触しており、第２の部分に対するカッターの回転を容易にする軸受面として機能するように構成されている。
【０００７】
別の例示的な実施態様では、少なくとも１本のワイヤの周囲に巻き付けられたタイラップの切断に使用される工具を提供する。この工具は、端部及び該端部から離間された第２の部分を有する本体部分を含む。略円盤形状のカッターは、第２の部分に回転可能に連結されている。カッターには、第１の側面及び該第１の側面の略反対側にある第２の側面並びに略周方向に延在する刃先が形成されている。また、第２の部分は、カッターの第１の側面の大部分を覆うシールドを有し、シールドには、それぞれカッターの第１の側面及び刃先と連絡する第１のシールドスロット及び第２のシールドスロットが形成されている。ハウジングは、本体部に揺動可能に連結されており、カッターの第２の側面の大部分を覆っている。ハウジングには、第１のハウジングスロット及び第２のハウジングスロットが形成されており、第１のハウジングスロット及び第２のハウジングスロットはそれぞれ、カッターの第２の側面及び刃先と連絡する。ハウジングは、刃先の第１の部分又は第２の部分の一方が、タイラップの切断に使用する目的で選択的に実質的に露出される一方で、刃先の第１の部分又は第２の部分の他方が、シールドによって実質的に覆われるように揺動されるよう構成されている。
【０００８】
別の例では、ハウジングは、第１の位置に揺動するように構成されており、そこでは、第１のハウジングスロットは、第１のシールドスロットと実質的に連絡し、刃先の第１の部分は、タイラップの切断に使用するために露出される。
【０００９】
別の例では、ハウジングは、さらに第２の位置に揺動するように構成されており、そこでは、第１のハウジングスロットは、第１のシールドスロットと実質的に連絡せず、刃先の第１の部分は、実質的に覆われる。
【００１０】
別の例では、ハウジングは、第３の位置に揺動するように構成されており、そこでは、第２のハウジングスロットは、第２のシールドスロットと実質的に連絡し、刃先の第２の部分は、タイラップの切断に使用するために露出される。
【００１１】
別の例示的な実施態様では、工具は、ハンドル空隙部が形成されたハンドルをさらに備え、工具の本体部分の第１の端部は、本体部が実質的にハンドル空隙部内の収納位置とハンドル空隙部から実質的に外側に延在する伸長位置との間でハンドルに対して揺動可能に連結されている。
【００１２】
別の例示的な実施態様では、本体部分には、第１の凹所、第２の凹所及び第３の凹所が形成されている。ロッキング部材は、ハウジングに連結されており、ハウジングが第１の位置にあるときは、本体部分と相対的な第１の位置にハウジングを解除可能にロックするように第１の凹所に係合し、ハウジングが第２の位置にあるときは、本体部分と相対的な第２の位置にハウジングを解除可能にロックするように第２の凹所に係合し、ハウジングが第３の位置にあるときは、本体部分と相対的な第３の位置にハウジングを解除可能にロックするように第３の凹所に係合する。
【００１３】
別の例示的な実施態様では、工具のシールドは、カッターが回転する回転軸線と、回転軸線と実質的に同軸の略リング形状であり、第１の直径を有する第１の突起を有する。さらに、シールドには、回転軸線と実質的に同軸の略リング形状であり、第１の直径よりも大きな第２の直径を有する第２の突起が設けられている。第１の突起及び第２の突起は、カッターの第１の側面に接触しており、シールドに対するカッターの回転を容易にする軸受面として機能するように構成されている。
【００１４】
別の例示的な実施態様では、第１のハウジングスロット、第２のハウジングスロット、第１のシールドスロット及び第２のシールドスロットのうちの少なくとも１つは、口部及び該口部に実質的に対向する床部分（口部は第１の幅を有し、床部分は第２の幅を有する）を有し、第２の幅は、第１の幅よりも大きい。また、壁部分は、床部分に対して実質的な鋭角を成して口部の近傍から床部分の近傍まで延在する。
【００１５】
別の例示的な実施態様では、少なくとも１本のワイヤの周囲に巻き付けられたタイラップの切断に使用される工具をさらに提供する。この工具は、ハンドル空隙部が形成されたハンドルを備え、少なくとも１つのアームは、ハンドルに対してアームが動くようにハンドルに連結された第１の部分を有するように形成されている。アームは、実質的にハンドル空隙部内の収納位置とハンドル空隙部から実質的に外側に延在する伸長位置との間で移動可能である。アームは、第１の部分から離間された第２の部分及び該第２の部分に連結されたカッターを有する。カッターには、第１の側面及び該第１の側面の略反対側にある第２の側面並びに略弓形の刃先が形成されている。さらに、第２の部分は、カッターの第１の側面の大部分を覆うシールドを有し、シールドには、それぞれカッターの刃先及び第１の側面と連絡する第１のシールドスロット及び第２のシールドスロットが形成されている。ハウジングは、アームに揺動可能に連結されており、カッターの第２の側面の大部分を覆っている。ハウジングには、それぞれカッターの刃先及び第２の側面と連絡する第１のハウジングスロット及び第２のハウジングスロットが形成されている。ハウジングは、第１の位置に揺動可能であり、そこでは、第１のハウジングスロットは、第１のシールドスロットと実質的に連絡し、刃先の第１の部分は、タイラップの切断に使用するために露出される。ハウジングは、さらに第２の位置に揺動可能であり、そこでは、第１のハウジングスロットは、第１のシールドスロットと実質的に連絡せず、刃先の第１の部分は実質的に覆われる。また、ハウジングは、第３の位置に揺動可能であり、そこでは、第２のハウジングスロットは、第２のシールドスロットと実質的に連絡し、刃先の第２の部分は、タイラップの切断に使用するために露出される。
【００１６】
別の例示的な実施態様では、第２のアームは、ハンドルに連結されており、第１の側面及び該第１の側面の略反対側にある第２の側面並びに弓形の刃先が形成されたカッターを含む。第２のアームの第２の部分は、カッターの第１の側面の大部分を覆うシールドを有し、第２のアームのシールドには、刃先の部分を露出させる少なくとも１つのシールドスロットが形成されている。ハウジングは、第２のアームに揺動可能に連結されており、カッターの第２の側面の大部分を覆っている。第２のアームのハウジングには、カッターの第２の側面及び刃先と連絡するハウジングスロットが形成されており、第２のアームのハウジングは、第１の位置に揺動可能であり、そこでは、ハウジングスロットは、シールドスロットと実質的に連絡し、刃先の部分が、タイラップの切断に使用するために露出される。また、ハウジングは、第２の位置に揺動可能であり、そこでは、ハウジングスロットは、シールドスロットと実質的に連絡せず、刃先の部分は実質的に覆われる。
【００１７】
別の例では、タイラップを切断する際に刃先の第１の部分及び第２の部分のうちの露出された一方を使用する前に刃先の第１の部分又は第２の部分のうちの露出された一方の近傍からワイヤを離間させる手段が設けられている。
【００１８】
別の例では、ハウジングには、第１のハウジングスロット及び第２のハウジングスロットの少なくとも一方と連絡している半径方向に延在する凹所が形成されており、この凹所は、切断中にワイヤタイを受け入れる。
【００１９】
別の例示的な実施態様では、複数のワイヤの周囲に巻き付けられたタイラップを切断するための切断工具を操作する方法を提供する。本方法は、細長い本体部材を用意するステップであって、本体部材が、該本体部材に回転可能に連結され、略弓形の刃先を有するカッターと該カッターの第１の側面を実質的に覆い、本体部材に連結されたシールドとを有し、シールドに、カッターの刃先と連絡する少なくとも１つのシールドスロットが形成されている、細長い本体部材を用意するステップと、カッターの第２の側面の大部分を覆う、本体部材に揺動可能に連結されたハウジングであって、カッターの刃先と連絡する少なくとも１つのスロットが形成されたハウジングを用意するステップと、を含む。本方法は、ハウジングスロットがシールドスロットと実質的に連絡せず、刃先の部分が実質的に覆われる第１の位置にハウジングを動かすステップと、ハウジングスロットがシールドスロットと実質的に連絡し、刃先の部分がタイラップの切断に使用するために露出される第２の位置にハウジングを動かすステップと、をさらに含む。
【００２０】
また、本方法は、ワイヤと略平行になるように本体部材を位置合わせするステップと、刃先の近傍からワイヤを離間させるステップと、ワイヤを切断することなくタイラップを少なくとも部分的に切断するために刃先をタイラップに押し付けるステップと、を含んでもよい。
【００２１】
さらなる変形形態では、方法の例示的な実施態様は、口部及び該口部に実質的に対向する床部分並びに壁部分を有する第１のハウジングスロット、第２のハウジングスロット、第１のシールドスロット及び第２のシールドスロットの少なくとも１つを用意するステップであって、口部が、第１の幅を有し、床部分が、第２の幅を有し、第２の幅が、第１の幅よりも大きく、壁部分が、床部分に対して実質的な鋭角を成して口部の近傍から床部分の近傍まで延在する、ステップを含んでもよい。本体部材は、少なくとも１本のワイヤと略平行な動作を用いて動かされ、タイラップが、壁部分に係合され、次に、タイラップの側部が切断されてもよい。次に、タイラップの側部の切断部が、床部分に向かって摺動されてもよい。
【００２２】
別の例示的な実施態様では、少なくとも１本のワイヤの周囲に巻き付けられたタイラップの切断に使用される工具を提供し、この工具は、端部及び該端部から離間された第２の部分を有する本体部分並びに第２の部分に連結されたカッターを有する。カッターには、第１の側面及び該第１の側面の略反対側にある第２の側面並びに刃先が形成されている。本体部の第２の部分は、カッターの第１の側面の大部分を覆うシールドを有し、シールドには、カッターの第１の側面及び刃先と連絡する少なくとも１つのシールドスロットが形成されている。カッターの第２の側面の大部分を覆うハウジングは、本体部に連結されており、ハウジングには、カッターの第２の側面、シールドスロット及びカッターの刃先と連絡する少なくとも１つのハウジングスロットが形成されている。また、ハウジングスロット及びシールドスロットの少なくとも一方は、口部及び該口部に実質的に対向する床部分を有し、口部は、第１の幅を有し、床部分は、第２の幅を有する。第２の幅は、第１の幅よりも大きく、壁部分は、床部分に対して実質的な鋭角を成して口部の近傍から床部分の近傍まで延在する。
【００２３】
別の例示的な実施態様では、少なくとも１本のワイヤ上のタイラップを切断するための切断工具を操作する方法を開示しており、この方法は、刃先を有するカッターを有する本体部材（カッターは、本体部材に回転可能に連結されている）とカッターの第１の側面を実質的に覆う、本体部分に揺動可能に連結されたハウジングであって、それぞれが刃先を選択的に露出させる第１のハウジングスロット及び第２のハウジングスロットが形成されたハウジングとを用意するステップを含む。第１のハウジングスロット及び第２のハウジングスロットの一方が、刃先の第１の部分を露出させるために選択され、ハウジングは、第１のハウジングスロット及び第２のハウジングスロットのうちの選択された一方が刃先の第１の部分を露出させるように揺動されるのと同時に、第１のハウジングスロット及び第２のハウジングスロットのうちの選択されていない他方の近傍にある刃先の第２の部分を実質的に覆う。ワイヤは、ハウジング及び本体部材の少なくとも一方の部分を用いて刃先の近傍から離間され、刃先の第１の部分は、ワイヤを切断することなくタイラップを少なくとも部分的に切断するためにタイラップに押し付けられる。本体部材を用意するステップは、カッターの第２の側面を実質的に覆う、本体部材に連結されたシールドであって、刃先の第１の部分を露出させる第１のシールドスロット及び刃先の第２の部分を露出させる第２のシールドスロットが形成されたシールドを用意するステップを含んでもよい。また、例示的な方法は、（第１のハウジングスロット及び第２のハウジングスロットのうちの選択された方が刃先の第１の部分を露出させるようにハウジングを揺動させるときに）第１のシールドスロットが、第１のハウジングスロット及び第２のハウジングスロットの選択された方と連絡することを含んでもよい。一実施態様では、例示的な方法は、第１のハウジングスロットによってその他の位置で露出されず、第２のハウジングスロットによって覆われない刃先の部分の全体を実質的に覆うためにハウジング及びシールドを使用するステップを含んでもよい。
【００２４】
本明細書に述べられている特徴、機能及び利点は、様々な例において個別に実現されてもよいし、又は本開示のさらに他の例示的な態様において組み合わされてもよい。これらのさらなる詳細は、以下の説明及び図面を参照することによって理解することができる。
【００２５】
以上のように一般的な観点から本開示の例示的な態様について説明してきたが、次に、必ずしも一定の縮尺で描かれていない添付図面を参照する。
【図面の簡単な説明】
【００２６】
【図１】ファスナを切断するために使用され得る例示的な切断工具の斜視図を示している。
【図２】図１に示す切断工具の斜視図を示す。
【図３Ａ】図１に示す切断工具の分解斜視図を示す。
【図３Ｂ】図１に示す切断工具の分解斜視図を示す。
【図４】ファスナに係合している、図１に示す切断工具の部分の斜視図を示す。
【図５】図１に示す切断工具の斜視図を示す。
【図６】ファスナに係合するように使用者によって保持されている、図１に示す切断工具の斜視図を示す。
【図７Ａ】図１に示す切断工具から取り外された切断部材の斜視図を示す。
【図７Ｂ】図１に示す切断工具から取り外された切断部材の斜視図を示す。
【図８Ａ】図１に示す切断工具から取り外された切断部材の斜視図を示す。
【図８Ｂ】図１に示す切断工具から取り外された切断部材の斜視図を示す。
【図９】図１に示す切断工具から取り外された切断部材の分解図を示す。
【図９Ａ】図１に示す切断工具から取り外されたハウジング部材の部分を示す。
【図１０】図１に示す切断工具から取り外された切断部材の部分側面図を示す。
【図１１】図１０の線１１−１１における断面図である。
【図１２】本開示の例示的な実施態様に係るカッターの構造の概略図である。
【図１３】本開示の一態様に係る切断工具の実施態様のフロー図である。
【図１４】航空機の生産及び保守点検方法のフロー図である。
【図１５】航空機のブロック図である。
【図１６】本開示の例示的な実施態様に係る機能図である。
【発明を実施するための形態】
【００２７】
様々な実施態様の特定の特徴が、図示する場合もあれば、図示しない場合もあるが、これは、便宜を図っているに過ぎない。任意の図面における任意の特徴は、任意の他の図面における任意の特徴と組み合わせて参照及び／又は特許請求され得る。
【００２８】
次に、本開示の例が、添付図面を参照しながら以下でより完全に説明される。なお、添付図面には、本開示のすべての例ではなく、一部の例を示す。実際には、本開示の様々な例示的な態様は、多くの異なる形態で実施されてもよく、本明細書に記載されている例に限定されるものとして解釈されるべきではない。正確に言えば、これらの例は、本開示が、徹底的で完全なものとなり、本開示の範囲を当業者に余すところなく伝えるものとなるように挙げられている。同じ参照符号は、全体を通して同じ要素を指示している。
【００２９】
本明細書で説明されている実施態様は、弾性的な切断工程に関する。一般に、実施態様は、一束のワイヤなどの物体を包囲しているファスナを切断するための切断工具に関する。一適用例において、本明細書で説明されている切断工具は、一束のワイヤの周囲に配置されたタイラップを切断するために利用される。本明細書で説明されている実施態様は、タイラップに限定されないことが理解されるべきであり、さらに、タイラップ及びワイヤを利用した説明及び図面は例示に過ぎないことが理解されるべきである。本発明は、周知のタイラップに適合しながらも、切断されるファスナによって包囲されたワイヤに損傷を与えない安全な（人間工学的な）切断工程を実現する。したがって、本明細書で使用される場合、「タイ」、「タイラップ」、又は「ワイヤタイ」は、ワイヤを束にまとめるために使用可能なワイヤタイ、ジップタイ、ストラップ、糸、紐、バンド、鎖及びロープなどを含む。
【００３０】
出願人は、２０１１年１２月６日に提出された米国特許出願公開第１３／３１２，２５２号明細書及び２０１１年１２月６日に提出された米国特許出願公開第１３／３１２，２９０号明細書の全体を参照により本明細書に組み込む。
【００３１】
本開示の例示的な一実施態様を参照すると、図１は、切断工具（全体を通して符号１０が付与されている）を示しており、この切断工具は、少なくとも１本のワイヤ１３（図４及び図６に示すような一束１３ａのワイヤ１３を含み得る）の周囲に延在するファスナ（タイラップ１２（図４）などであるが、これに限定されない）を切断するために使用されてもよい。例示的な一実施態様では、タイラップ１２は、固定機構１６（図４）を有する細長部分１４を含む。例示的な実施態様では、工具１０は、ワイヤ束１３ａからタイラップ１２を取り外すことを容易にするためにタイラップ１２を少なくとも部分的に切断する。より具体的には、その有効性を高めるために、工具１０は、ワイヤ束１３ａのワイヤ１３に損傷を与えることなく、また使用者を負傷させることなくタイラップ１２を切断する。
【００３２】
図１及び図２に示すように、工具１０は、ハンドル空隙部２２が形成されたハンドル（全体を通して符号２０）を含む。把持部２６ａを含む細長い本体部分若しくは本体部材又はアーム（全体を通して符号２６）は、ハンドル２０に対して動くようにハンドル２０に着脱可能に連結された第１の部分２８を有して形成されている。アーム２６は、図６に示すような収納位置と図１に示すような伸長位置との間で移動可能である。収納位置では、アーム２６は、全体的にハンドル空隙部２２内に保持され（図３Ｂ）、伸長位置では、アーム２６は、様々な角度でハンドル２０から外側に延在する（図２）。例えば、図１に示すように、アーム２６は、ハンドル２０に対してある角度で延在し、図２及び図５では別の角度で延在する。また、図６に示すように、アーム２６は、アーム２６が収納位置にある間に、タイ１２を切断するために使用されてもよい。図３Ａ及び図３Ｂに示すように、アーム２６の基端は、ハンドル空隙部２２に設けられた軸３２を受け入れるための開口部３４を含んでもよい。開口部３４は、スロット３５を含んでもよく、このスロットは、開口部３４がスナップフィット関係で軸３２を受け入れるまでアーム２６が軸３２の平坦部３８（図３Ｂ）に摺動可能に係合することを可能にする。軸３２が、開口部３４に受け入れられると、アーム２６は、軸３２を中心に自由に揺動することができる。
【００３３】
アーム２６は、その他方の端部（すなわち、先端）に第２の部分４０（図３Ａ）を含み、第２の部分４０には、略円盤形状のブレード（又はカッター）４２が、アーム２６に対して旋回及び／又は回転運動するように取り付けられている。図９に示すように、カッター４２には、実質的に弓形の又は周方向に延在する刃先４４が形成されており、さらに、カッター４２は、第１の側面４６（図７Ｂ）及び第２の側面４８（図９）（第１の側面４６の略反対側にある）を含む。カッター４２は、例示的な実施態様では円盤形状のものとして示すが、カッター４２は、他の形状（一切れのパイに類似し得る扇形（図示せず）を含むが、これに限定されない）であってもよいことが理解されるべきである。
【００３４】
図７Ｂに示すように、アーム２６の第２の部分は、カッター４２の第１の側面４６を実質的に覆うシールド（全体を通して符号５０）を含む。シールド５０には、少なくとも１つの第２の部分スロット（又はシールドスロット）が形成されており、また、シールド５０は、カッターの刃先４４の部分と連絡するシールドスロット５２、５４を含んでもよい。
【００３５】
ハウジング（全体を通して符号６０）を図９に示し、このハウジングは、固定して及び／又は揺動可能に若しくは回転可能にアーム２６に連結され、カッター４２の第２の側面４８を実質的に覆い得る。ハウジング６０には、少なくとも１つのスロット（第１のハウジングスロット６２及び第２のハウジングスロット６４（これらはそれぞれ、ハウジング６０の中央孔又は孔６６から略半径方向外側に延在する）など）が形成されていてもよい。中央孔６６は、ファスナ又は何らかの他の装置を含み得る軸（全体を通して符号６８）を収容する。例示的な実施態様では、軸６８は、シールド中央孔６６ａに受け入れられ、頭付ファスナ７０、雌ネジ付シャフト部分７２を含み、雌ネジ付シャフト部分７２には、頭付ファスナ７６の雄ネジ付シャフト部分７４が螺合される。ワッシャ７８は、ファスナ７０とシールド５０との間に配されてもよい。
【００３６】
図７Ｂを参照すると、シールド５０には、凹所５２ａ及び５４ａが形成されており、凹所５２ａ及び５４ａはそれぞれ、スロット５２、５４に連通しており、スロット５２、５４から延在している。同様に図７Ａを参照すると、ハウジング６０には、凹所６２ａ及び６４ａが形成されており、凹所６２ａ及び６４ａはそれぞれ、スロット６２、６４に連通しており、スロット６２、６４から延在している。凹所５２ａ、５４ａ、６２ａ及び６４ａはそれぞれ、それぞれのスロット（図７Ａ及び図７Ｂ）から軸６８（図９）に向かって略半径方向内側に延在している。凹所５２ａ、５４ａ、６２ａ及び６４ａはそれぞれ、解放領域を形成するように構成されていることによってワイヤタイを切断する際のスロット５２、５４、６２及び６４の使用を容易にしており、この解放領域に向かってワイヤタイは、ワイヤタイが切断されたときに移動又は屈曲することができる。この結果、このようなワイヤタイが切断作業中にシールド５０及び／又はハウジング６０の部分に引っ掛かる（このことは、このようなワイヤタイの切断を潜在的に妨害し得る）可能性を低減する。
【００３７】
ハウジング６０は、図７Ｂに示すように第１の位置に揺動させることが可能であり、そこでは、第１のスロット６２は、シールドスロット５４と実質的に連絡し、刃先４４の第１の部分は、タイラップ１２の切断に使用するために露出される。また、ハウジング６０は、図２に示すように第２の位置に揺動させることが可能であり、そこでは、第１のスロット６２（図７Ａ）は、シールドスロット５４（図７Ｂ）と実質的に連絡せず、刃先４４の第１の部分は、実質的に覆われる。さらに、ハウジング６０は、第３の位置に揺動させることが可能であり、そこでは、第２のスロット６４は、シールドスロット５２と実質的に連絡し、刃先４４の第２の部分は、タイラップ１２の切断に使用するために露出される。
【００３８】
図７Ａ及び図７Ｂに示すように、アーム２６は、ハウジング６０に連結され、かつハウジング６０から半径方向外側に延在するロッキング部材（全体を通して符号８０）を含む。ロッキング部材８０は、第１の位置、第２の位置及び第３の位置の間でロッキング部材８０及びハウジング６０を揺動させる（このとき、ロッキング部材８０は、ロッキング部材８０が通路９０を移動するときにノッチ８４、８６、８８のそれぞれに係合する）ために使用者の指の１本以上によって係合される上部隆起部８２を含む。ロッキング部材８０が図１に示すように第１の位置合わせノッチ８４にあるとき、ハウジング６０は、第１の位置にあり、そこでは、ハウジング６０の第１のスロット６２は、カッター４２の刃先４４と連絡する。同様に、シールドスロット５４もまた刃先４４と連絡し、この場合、刃先４４は、図４に示すように露出され、ファスナを切断するために利用可能である。図２では、ロッキング部材８０は、第３の位置合わせノッチ８８にあり、この場合、ハウジング６０の第１のスロット６２及び第２のスロット６４は、シールドスロット５２、５４のどちらとも連絡しておらず、刃先４４は、タイ又は他の物品を不注意から切断することがないように遮断され、保護されている。ロッキング部材８０は、第２の位置合わせノッチ８６（図７Ｂ）にあるとき、ハウジング６０の第２のスロット６４は、シールドスロット５２と連絡し、これにより、刃先４４は、スロットを使用する切断のために露出される。
【００３９】
下方に延在するロッキングタブ９４（図７Ｂ）は、ロッキング部材８０の下面に設けられており、第１の位置、第２の位置及び第３の位置のそれぞれにロッキング部材８０を保持するためにノッチ８４、８６及び８８に係合可能である。ロッキング部材８０は、実質的に弾性のある構造体から作製されてもよく、これにより、ハウジング６０を揺動させることが求められているときに、ロッキング部材８０を押し下げ、ロッキングタブ９４の端部の足９６に、障壁９８ａ及び９８ｂを乗り越えさせて、ノッチ８４、８６及び８８の間を移動させることができる。使用者が、ロッキング部材８０を解放すると、足９６は、自動的にノッチ８４、８６、又は８８内に収まる（ロッキング部材８０が放されたときに、足９６が、これらのノッチの１つに位置合わせされている場合）。
【００４０】
図９に示されているように、カッター４２は、シールド５０及びハウジング６０を貫通する軸６８によって形成される回転軸線４２ａを中心に回転し、シールド５０は、軸６８と実質的に同軸であり、第１の直径を有する実質的なリング形状を有する第１のボス部分又はボス突起１００を含む。また、シールド５０には、リング形状の又は半円形状の突起若しくは部分１０２が設けられていて、これは、軸６８及びボス部分１００と実質的に同軸である。部分１０２の直径は、第１のリング形状の部分１００よりも大きく、一例において、部分１０２の高さは、図１１に示すようにボス部分１００よりも高い。図９Ａに示すように、ハウジング６０の下面は、表面６０ｂから外側に延在する高くなった周縁部分６０ａと、カッター４２に接触して、これを支持する複数の小突起部又は支柱部６０ｃ、６０ｄ及び６０ｅと、を含む。中央孔６６と実質的に同軸のボス部分又はボス突起６０ｆもまた、表面６０ｂから外側に延在しており、回転のためにカッター４２に接触して、これを支持している（図９）。ボス突起６０ｆは、カッター４２のうちシールド５０の部分１００がある側とは反対の側にあり、一例において、わずかな隙間６０ｇ（図１１）が、部分１００、６０ｆへのカッター４２の束縛を最小限に抑えるために、また部分６０ｆ、１００に対するカッター４２の回転を助けるためにカッター４２と部分１００との間に設けられてもよい。ブレード全体の摩耗を低減するためにワイヤタイの切断中にアーム２６に対するカッター４２の自動回転運動が容易に行われ得るような態様で、カッター４２の第１の側面４６は、部分１００及び１０２に当接し、カッター４２の第２の側面４８は、周縁部分６０ａ並びに部分６０ｃ、６０ｄ、６０ｅ及び６０ｆに当接する。カッター４２の回転運動は、新しい刃先４４のエッジ面がスロット５２、５４、６２及び６４を介して継続して露出されることを可能にするために望ましい場合がある。シールド５０及びハウジング６０に対するカッター４２の回転は、多くの方法で行われてもよく、また、ある方法では、カッター４２がこのようなワイヤタイにわずかに食い付くのに十分な程度にワイヤタイの断片（図示せず）又はタイラップ１２を刃先４４にわずかに係合させ、次に、アーム２６を慎重に回転させる（この間、カッター４２は、ワイヤタイに対して実質的に動かないように保持される）ことを含んでもよい。これにより、カッター４２が回転されること並びに刃先４４の新しい部分がスロット５２、５４、６２及び６４に提示されることが可能になり得る。
【００４１】
図７Ｂに示すように、シールド５０は、３つのスペーサ部分１１０、１１２、１１４を含み、３つのスペーサ部分１１０、１１２、１１４はそれぞれ、中央孔６６ａ（軸６８）に対して略半径方向に延在しており、略楔形状である。さらに、図７Ａに示すように、ハウジング６０は、同様のスペーサ１２０、１２２、１２４を含み、スペーサ１２０、１２２、１２４もまた、中央孔６６ａ（軸６８）から半径方向外側に延在している。スロット６２は、スペーサ１２０及び１２２の間にあり、スロット６４は、スペーサ１２２及び１２４の間にある。図１０に示すように、スペーサ１２０、１２２及び１２４はそれぞれ、それぞれの先端１２０ａ、１２２ａ及び１２４ａを含む。シールドスロット５２（図７Ｂ）は、スペーサ１１０及び１１２の間にあり、シールドスロット５４は、スペーサ１１２及び１１４の間にある。シールドスペーサ１１０、１１２及び１１４並びにハウジングスペーサ１２０、１２２及び１２４はそれぞれ、（カッター４２が、タイラップ１２を切断するために使用される場合に）刃先４４がタイラップ１２を切断するためにタイラップ１２に近付けられるとき、一束のワイヤ１３ａのワイヤ１３を押圧して離間させる。実際に、タイラップ１２を切断する際に刃先４４の露出した部分を使用する前に刃先４４の露出した部分の近傍からワイヤを離間させるための手段は、一例において、シールドスペーサ１１０、１１２及び１１４並びに／又はハウジングスペーサ１２０、１２２、１２４を含んでもよく、これらは、使用中に刃先４４から実質的に所定の後退距離(setback distance)だけ離れた位置に一束１３ａのワイヤ１３を維持する。このような距離は、スロット６４に関しては図１０の符号Ｓによって示されている。
【００４２】
図１０及び図１２に示すように、例示的な一実施態様では、刃先４４とスペーサ１２０、１２２及び１２４の先端１２０ａ、１２２ａ及び１２４ａのそれぞれとの間の後退距離Ｓは、以下の式によって計算及び／又は近似される関連する所定の距離であってもよい。
【００４３】
【数１】
2015080723.tif 000003
【００４４】
図１２に示すように、ｈは、回転軸線４２ａから先端までの距離である。この式中、ｗは、スロット６４の幅であり、ｒは、カッター４２の半径（すなわち、カッター４２の回転軸線から刃先４４までの距離）である。この式の非限定的な例示的な使用を挙げるならば、カッターの半径ｒが約０．５５１インチであり、スロット幅ｗが約０．１５インチの場合、後退距離Ｓは、約０．０４０インチである。しかしながら、後退距離Ｓは、特定の用途、所望の結果などに応じて様々な異なる寸法であってもよく、上述した式を用いることによって到達される結果に限定されるものとして解釈されるべきではないことが理解されるべきである。スペーサは、切断処理中にワイヤ１３に接触して、カッター４２からワイヤ１３を離間させ、カッター４２から離れた位置にワイヤ１３を維持する。例示的な実施態様では、スペーサは、刃先４４の露出した部分を越えて延在する大きさに形成される。例示的な実施態様では、スペーサは、楔形状に形成される。代替的な実施態様では、スペーサは、任意の他の形状（丸い形状などであるが、これに限定されない）を有してもよい。スペーサの長さは、タイラップ１２の厚さに対応するサイズに形成される。スペーサは、カッター４２の周囲の保護領域を形成する。
【００４５】
スロット５２、５４、６２及び６４の設計の例示的な実施態様を図７Ｂ及び図１０に示す。このようなスロットはそれぞれ、スロット６４に関連する例によって示されている構造を含む。すなわち、各スロットの開口部又は口部１３０は、スロット６４の底部又は床部１３２の幅（この幅はＤとして特定される）よりも小さな幅ｗを有する。第１の側壁１３４は、口部１３０の近傍から床部１３２に向かって延在し、第２の側壁（全体を通して符号１３６）は、第１の側壁１３４に実質的に対向し、第２の側壁は、側壁１３４と略平行な第１の壁部分１３６ａ及び床部１３２に対して実質的な鋭角を成して第１の壁部分１３６ａから床部１３２の近傍まで延在する第２の壁部分１３６ｂを有する。スロット５２、５４、６２及び６４のそれぞれの口部１３０（すなわち、ここでは、スロット幅ｗは、床部１３２の幅Ｄよりも狭い）に関するこの非対称的な構造は、露出される刃先４４の長さを大きくすることなく、より大きなタイ（すなわち、口部１３０の幅ｗよりも大きな幅を有するタイ）の切断を可能にし、この結果、刃先４４の露出を最小限に抑える。口部１３０は、引っ掛けて回転させるような動作(hook and roll type motion)で、タイの一方の縁が、口部１３０に入って、スロットの、幅Ｄよりも広い部分に向かって壁部分１３６ａの下に潜り得るように、より大きなタイに対して斜めに近付けられてもよい。言い換えれば、例示的な実施態様では、アーム２６が、ワイヤ又は複数のワイヤ１３と略平行な動作で動かされて、鋭角を成す壁部分１３６ｂが、タイラップをその側部から切断し始めてもよい。次に、タイラップの切断部は、床部１３２の近傍の、スロットのより幅の広い部分に摺動されてもよい。これにより、口部１３０よりも幅の広いタイラップの切断が潜在的に可能となる。したがって、これにより、束１３ａのワイヤが損傷する可能性を低減し、さらに、使用者が切り傷を負うリスク又は何か他の物品が不注意から切られるか、若しくは損傷するリスクを低減し得る。
【００４６】
図６に示すように、工具１０は、ハンドル２０の片側又は両側のスロット１４２から外側に延在する弾性の及び／又は調節可能なストラップ（全体を通して符号１４０）を備えてもよい。図６に示すように、使用者（全体を通して符号Ｕ）は、ハンドル２０の片側又は両側にあるストラップ１４０に自分の親指又は指を挿入してもよく、これにより、自分の手で工具１０をより良く把持することを可能にする。また、ストラップ１４０は、図６に示すように、工具１０の改善された把持を可能にすることによって、片手のみを使用する使用者によって操作される工具１０の性能を強化することができる。例示的な実施態様では、ストラップ１４０は、使用者の個人的な好みに合わせてストラップを調節することを可能にする１つ以上のバックル１４４を含んでもよい。しかしながら、このようなバックル１４４又は他の調節装置（図示せず）は、必要に応じて使用されても、使用されなくてもよい。
【００４７】
図８Ａ及び図８Ｂに示すように、例示的な一実施態様では、工具１０は、ハンドル２０に取り付けられ得る第２の本体部分若しくは本体部材又はアーム（全体を通して符号１５０）を含む。アーム１５０は、アーム２６と同様であり、先に説明したのと同じ構成要素を示すために、同様の参照符号が、アーム１５０に関して使用される。アーム１５０は、図６に示すようなハンドル空隙部２２内の収納位置から図１、図２、図５及び図６に示すような様々な伸長位置まで移動可能である。アーム１５０は、凹所１５０ｂ、ノッチ、又は他の外形を有するタブ１５０ａを含んでもよく、この場合、タブ１５０ａは、ハンドル空隙部２２内の収納位置からアーム１５０を引っ張り出すためにタブ１５０ａをつまんで掴む際に使用者を助ける。アーム１５０は、シールド１５２を含み、シールド１５２には、スロット５２、５４、６２及び６４に関して上述したような略非対称の構造を有するスロット１５４が形成されている。図８Ａ及び図８Ｂに示すように、アーム１５０は、軸３２を受け入れるための開口部１６０を含んでもよい。開口部１６０と連通するスロット１６２は、スロット１６２がスナップフィット関係で軸３２の平坦部３８に位置合わせされたときにハンドル２０の軸３２をアーム１５０に容易に挿入することを可能にする。
【００４８】
アーム１５０の先端は、シールド１５２によって実質的に覆われた第１の側面を有するカッター１７０及び上述したような非対称の構造を有するスロット１７６を有する揺動可能なハウジング（全体を通して符号１７４）を備える。また、ハウジング１７４は、使用者の親指及び／又は指によって係合されるロッキング部材１７８を含む。ロッキング部材１７８は、ロッキング部材１７８をノッチ１８０に係合することによって安全位置又は切断位置にハウジング１７４を選択的にロックするためにロッキング部材８０と同様の態様で機能する。また、ロッキング部材１７８は、ノッチ１８０（図５）に係合可能な下方に延在する突起（図示せず）を含む。これにより、ハウジング１７４は、ハウジングスロット１７６が、ワイヤタイ又は他の物品を切断する目的で刃先４４が露出されることを可能にするためにカッター１７０の刃先４４及びシールド１５２のスロット１５４の両方と連絡する位置に揺動され得るようになっている。また、ハウジング１７４は、第２の位置に回転されてもよく、そこでは、スロット１５４、１７６及び刃先４４は、もはや互いに同時に連絡せず、このため、刃先は、不注意から何か又は誰かに切り傷を付けることのない比較的「安全」な状態にある。必要に応じて、アーム２６及び／又はアーム１５０は、ハンドル２０から取り外されて、ハンドル２０から切り離された個別の工具として使用されてもよい。
【００４９】
例示的な一実施態様では、カッター４２は、約１０ｍｍ（０．４０インチ）〜約４０ｍｍ（１．６インチ）の直径を有する円形状のブレードである。例示的な実施態様では、ブレード３２の直径は、約２８ｍｍである。別の例示的な実施態様では、カッター４２の直径は、約４０ｍｍである。カッター４２は、サイズの異なる複数の細長部分１４を少なくとも部分的に切断することに対応するサイズを有するように可変的に選択される。工具１０が本明細書で説明されているように機能することを可能にする任意のサイズのカッター４２を使用してもよい。
【００５０】
例示的な実施態様では、工具１０を使用してワイヤ束にあるアーム２６を切断する際、一般に使用者は、カッターの刃先４４を露出させるハウジングスロット６２、６４を選択し、次に、選択されたハウジングスロットが刃先４４の第１の部分を露出させるようにハウジングを揺動させてもよい。このとき、揺動ハウジングのもう一方のハウジングスロット６２又は６４の近傍にある、刃先の第２の部分は、シールド５０によって覆われる。選択されたハウジングスロットによって露出されていない、刃先４４のその他の部分は、ハウジング６０及びシールド５０によって覆われる。ワイヤは、ハウジング及び／又はシールドにおける少なくとも１つのスペーサを用いて刃先の近傍から離間され、刃先４４のうち選択されたハウジングスロットによって露出された第１の部分は、細長部分によって取り囲まれたワイヤ又はワイヤ束を切断することなく細長部分１４を切断するために細長部分１４に押し付けられる。
【００５１】
より具体的には、例示的な方法は、使用者がハンドル２０を把持して工具１０を操作し、細長部分１４の切断を容易にすることを含んでもよい。使用者は、用途及び／又は環状に応じて、アーム２６又はアーム１５０によって保持された所望のカッターを選択してもよい。例えば、使用者がアーム２６を選択する場合、使用者は、細長部分１４を切断するためにどちらのシールドスロット５２、５４を使用するのかを選択してもよい。使用者が、シールドスロット５４を選択したならば、刃先４４は、スロット５４において露出される必要がある。したがって、使用者は、スロット５４とスロット６２とを位置合わせすることによってスロット５４で刃先４４を露出させるためにハウジング６０を第１の位置（ここでは、ロッキング部材８０の足９６は、ノッチ８４に係合する）に回転させてもよい。工具は、位置合わせしたスロット５４、６２内で刃先４４に対してタイラップ１２の細長部分１４を配置するために使用者によって操作されてもよい。スペーサ１１２、１１４及び１２０、１２２がそれぞれシールド５０及びハウジング６０を越えて延在していることから、スロット５４、６２を細長部分１４の付近に配置するとき、スペーサは、束１３ａのワイヤに接触して、切断されるべき細長部分１４の領域（したがって、刃先４４）から離間するようにこのワイヤを変位させるため、刃先４４は、このような変位されたワイヤに接触しない。このとき、工具１０は、束１３ａのワイヤと略平行であってもよい（図６）。あるいは、使用者は、必要に応じてシールドスロット５２を使用してもよく、この場合、使用者は、スロット５２、６４を位置合わせして、細長部分１４を切断するためにこの場所の刃先４４の部分を使用する。この場合は、スペーサ１１０、１１２及び１２２、１２４が、細長部分１４の切断中に束１３ａのワイヤに接触して、これを細長部分１４から離間するように変位させる。
【００５２】
図１３に示すように、本開示の実施態様に係る別の例示的な方法は、カッターの刃先を露出させるハウジングスロットを選択するステップと、選択されたハウジングスロットが刃先４４の第１の部分を露出させるようにハウジング６０を揺動させるステップと、これと同時に、別のハウジングスロットの近傍にある、刃先４４の第２の部分をシールド５０によって覆わせるステップと、選択されたハウジングスロットによってその他の位置で露出されないか、又は他方のハウジングスロットによって覆われる、刃先のその他の部分を覆うためにハウジング６０及びシールド５０を使用するステップと、ハウジング及び／又はシールドにおける少なくとも１つのスペーサを用いて刃先４４の近傍からワイヤの束１３ａのワイヤを離間させるステップと、タイラップ１２によって取り囲まれたワイヤの束１３ａのワイヤを切断することなくタイラップを切断するために刃先４４の第１の部分をタイラップ１２に押し付けるステップと、を含んでもよい。
【００５３】
アーム２６及び１５０を、ハンドル２０に対して様々な角度で配置することができて、アーム２６の工具及びアーム１５０の工具をハンドル２０から取り外して、別個に使用することができる場合、堅く締め付けられた及び／又は到達の困難なワイヤタイは、工具１０によってより容易にアクセスされ、切断され得る。
【００５４】
アーム１５０の工具の使用法は、アーム２６の工具に関して上述したのと同様であること並びに代替的に使用者は、アーム２６及び／又はアーム１５０をハンドル２０から取り外して、同様の方法でアーム２６及び／又はアーム１５０を使用することができることが理解されるべきである。
【００５５】
より詳細に図１４及び図１５を参照して、本開示の実施形態は、図１４に示すような、航空機の製造及び保守点検方法２００並びに図１５に示すような航空機２０２との関連で説明されてもよい。試作の期間に、例示的な方法２００は、航空機２０２の仕様及び設計２０４と材料調達２０６とを含んでもよい。生産の期間に、航空機２０２の構成要素及び部分組立品の製造２０８とシステム統合２１０とを行う。その後、航空機２０２は、就航２１４させるために認証及び搬送２１２を経てもよい。顧客によって就航されている間に、航空機２０２は、定期的な整備及び保守点検２１６（改良、再構成及び改修などをも含み得る）を予定される。
【００５６】
方法２００の工程のそれぞれは、システムインテグレータ、サードパーティー及び／又は運営者（例えば、顧客）によって実行又は遂行されてもよい。本発明の説明のために、システムインテグレータは、任意の数の航空機の製造業者及び主システムの下請業者を含んでもよいが、これらに限定されず、サードパーティーは、任意の数のベンダー、下請業者及び供給者を含んでもよいが、これらに限定されず、運営者は、航空会社、リース会社、軍隊及び保守点検業者などであってもよい。
【００５７】
図１５に示すように、例示的な方法２００によって生産される航空機２０２は、複数のシステム２２０及び内部２２２と共に機体２１８を含んでもよい。高レベルシステム２２０の例は、推進システム２２４、電気システム２２６、油圧システム２２８及び環境システム２３０のうちの１つ以上を含む。任意の数の他のシステムが含まれてもよい。航空宇宙の例が示されているが、本発明の原理は、自動車産業などの他の産業に適用されてもよい。
【００５８】
本明細書で実施されている装置及び方法は、生産及び保守点検方法２００の段階のうちの任意の１つ以上の期間に用いられてもよい。例えば、生産工程２０８に対応する構成要素又は部分組立品は、航空機２０２が就航している間に生産される構成要素又は部分組立品と同様の方法で作製又は製造されてもよい。また、１つ以上の装置の実施形態、方法の実施形態、又はこれらの組合せは、航空機２０２の組立てを大幅に迅速化するか、又は航空機２０２のコストを低減することによって、例えば生産段階２０８及び２１０の期間に利用されてもよい。同様に、１つ以上の装置の実施形態、方法の実施形態、又はこれらの組合せは、例えば、航空機２０２の就航中に並びに整備及び保守点検２１６を行うために利用されてもよいが、これらに限定されない。
【００５９】
図１６は、本開示の例示的な実施態様の機能的側面を示している。
【００６０】
本明細書で説明されている主題は、一般に切断工具に関し、より詳細には、タイラップを巻き付けたワイヤを解放するためにタイラップを切断する際に使用される切断工具に関する。工具は、切断処理中にタイラップに対するブレードの深さを制御する目的でブレードを調整することを容易にするために選択的に位置調整可能なスロットを含む。また、工具は、タイラップを巻き付けたワイヤに対するブレードの不注意な接触を防止するスペーサを含む。以上のように、本明細書で説明されている工具の使用は、ワイヤに損傷を与えることなく、また使用者を負傷させることなくタイラップの切断の信頼性及び／又は効率を向上させることを容易にする。
【００６１】
切断工具を使用するためのシステム及び方法の例示的な実施態様を詳細に上述した。システム及び方法は、本明細書で説明されている特定の実施態様に限定されるものではなく、それどころか、システムの構成要素及び／又は方法のステップは、本明細書で説明されている他の構成要素及び／又はステップとは別個に切り離して利用されてもよい。開示されている寸法の範囲は、その中のすべての部分的な範囲を含む。さらに、工具は、工具が本明細書で説明されているように機能することを可能にする任意の材料から作製されてもよい。また、各構成要素及び各方法ステップは、他の構成要素及び／又は方法ステップと組み合わせて使用されてもよい。様々な実施態様の特定の特徴が、一部の図面にしか示されていない場合があるが、これは、便宜を図っているに過ぎない。図面における任意の特徴は、任意の他の図面における任意の特徴と組み合わせて参照及び／又は特許請求されてもよい。
【００６２】
上記説明及び関連する図面に提示されている教示の利点を有する、本明細書に記載されている本開示の多くの改変及び他の例示的な態様は、本開示に関係する当業者によって想到される。したがって、本開示が、開示されている特定の例に限定されるべきではないこと及び本開示の改変及び他の例示的な態様が、添付の特許請求の範囲に包含されることを意図したものであることが理解されるべきである。さらに、上記説明及び関連する図面は、要素及び／又は機能の特定の例示的な組合せとの関連で例を示しているが、要素及び／又は機能の異なる組合せが、添付の特許請求の範囲から逸脱することなく代替的な例によって実現されてもよいことが理解されるべきである。例えば、明示的に上述されているのとは異なる、要素及び／又は機能の組合せもまた、添付の特許請求の範囲に記載され得るものとして考えられる。特定の用語が、本明細書では採用されているが、これらは、一般的かつ記述的な意味で使用されているに過ぎず、限定を目的としていない。さらに、本開示は、以下の付記項に係る実施形態を含む。
【００６３】
付記項１
少なくとも１本のワイヤの周囲に巻き付けられたタイラップの切断に使用される工具であって、
端部及び該端部から離間された第２の部分を有する本体部分と、
前記第２の部分に連結され、タイラップを切断するように構成された刃先を有するカッターと、
を備え、
前記第２の部分には、前記刃先と連絡する第２の部分スロットが形成されており、該第２の部分スロットが、
口部及び該口部に実質的に対向する床部分であって、前記口部が、第１の幅を有し、前記床部分が、第２の幅を有し、前記第２の幅が、前記第１の幅よりも大きい、口部及び床部分と、
前記床部分に対して実質的な鋭角を成して前記口部の近傍から前記床部分の近傍まで延在する壁部分と、
を有する工具。
【００６４】
付記項２
前記カッターには、第１の部分及び第２の部分並びに第１の側面及び該第１の側面の略反対側にある第２の側面が形成されており、
前記第２の部分が、前記カッターの前記第１の側面の大部分を覆っており、
前記本体部分に連結され、前記カッターの前記第２の側面の大部分を覆うハウジングをさらに備え、
前記ハウジングには、少なくとも１つのハウジングスロットが形成されており、該少なくとも１つのハウジングスロットが、タイラップの切断に使用する目的で前記刃先を露出させるために前記カッターの前記第２の側面、前記第２の部分スロット及び前記カッターの前記刃先と選択的に連絡される、
付記項１に記載の工具。
【００６５】
付記項２
前記ハウジングが、第１の位置に揺動可能であり、そこでは、前記ハウジングスロットが、前記第２の部分スロットと実質的に連絡し、前記刃先の前記第１の部分が、タイラップの切断に使用するために露出される、
付記項２に記載の工具。
【００６６】
付記項４
前記ハウジングが、第２の位置に揺動するように構成されており、そこでは、前記ハウジングスロットが、前記第２の部分スロットと実質的に連絡せず、前記刃先の前記第１の部分が実質的に覆われる、
付記項３に記載の工具。
【００６７】
付記項５
前記第２の部分が、シールドスロットが形成されたシールドを含み、
前記少なくとも１つのハウジングスロットが、第１のハウジングスロット及び第２のハウジングスロットを含み、
前記ハウジングが、第３の位置に揺動するように構成されており、そこでは、前記第２のハウジングスロットが、前記シールドスロットと実質的に連絡し、前記刃先の前記第２の部分が、タイラップの切断に使用するために露出される、
付記項４に記載の工具。
【００６８】
付記項６
ハンドル空隙部が形成されたハンドルをさらに備え、
前記本体部分の前記端部が、前記本体部が実質的に前記ハンドル空隙部内の収納位置と前記ハンドル空隙部から実質的に外側に延在する伸長位置との間で前記ハンドルに対して動くように前記ハンドルに連結されている、
付記項１に記載の工具。
【００６９】
付記項７
前記ハウジングに連結され、前記本体部分と相対的な前記第１の位置、前記第２の位置及び前記第３の位置のうちの少なくとも１つに前記ハウジングを選択的にロックするロッキング部材をさらに備える、付記項５に記載の工具。
【００７０】
付記項８
前記カッターに、回転軸線が設けられており、前記カッターが、前記カッターの前記刃先がタイラップを切断するために使用されるときに前記回転軸線を中心に自動的に回転するように構成されている、付記項２に記載の工具。
【００７１】
付記項９
前記第２の部分スロットの近傍にある第２の部分スペーサであって、前記ハウジングが前記第１の位置又は前記第２の位置のどちらかにあるときに前記少なくとも１本のワイヤと前記刃先との間の隙間を維持するように構成された、第２の部分スペーサと、
前記ハウジングスロットの近傍で前記ハウジングにつながっているハウジングスペーサであって、前記ハウジングが前記第１の位置又は前記第２の位置のどちらかにあるときに前記少なくとも１本のワイヤと前記刃先との間の隙間を維持するように構成された、ハウジングスペーサと、
をさらに備える、付記項４に記載の工具。
【００７２】
付記項１０
前記カッターが、回転軸線を中心に回転するように構成されており、
前記ハウジングが、前記ハウジングスロットの近傍に、前記回転軸線に向かって実質的に半径方向に延在する少なくとも１つのタイラップ凹所を含み、
前記タイラップ凹所が、前記タイラップが切断されるときに前記タイラップが移動し得る解放領域を形成するように構成されている、
付記項２に記載の工具。
【００７３】
付記項１１
前記カッターに、回転軸線が設けられており、
前記ハウジングスロットの近傍で前記ハウジングにつながっているハウジングスペーサであって、前記ハウジングが前記カッターの前記第２の側面、前記第２の部分スロット及び前記カッターの前記刃先と連絡しているときに前記少なくとも１本のワイヤと前記刃先との間の隙間を維持するように構成されたハウジングスペーサをさらに備え、
前記ハウジングスペーサに、先端が形成されており、前記ハウジングスペーサの前記先端と前記回転軸線との間に関連する所定の距離が設けられている、
付記項２に記載の工具。
【００７４】
付記項１２
使用者の指の少なくとも１本を受け入れるために構成され、前記使用者が前記工具を保持することを容易にする可撓性ストラップをさらに備える、付記項１に記載の工具。
【００７５】
付記項１３
タイラップを切断するために前記刃先を使用する前に前記刃先の近傍から前記ワイヤを離間させるための手段をさらに備える、付記項１に記載の工具。
【００７６】
付記項１４
少なくとも１本のワイヤの周囲に巻き付けられたタイラップの切断に使用される工具であって、
端部及び前記端部から離間された第２の部分を有する本体部分と、
第２の部分に連結され、タイラップを切断するように構成された刃先を有するカッターと、
を備え、
前記カッターが、回転軸線を中心に回転するように構成されていて、第１の側面及び該第１の側面の略反対側にある第２の側面を有し、
前記第２の部分が、
第１の直径を有する、前記回転軸線と実質的に同軸の略リング形状の第１の突起と、
前記第１の直径よりも大きな第２の直径を有する、前記回転軸線と実質的に同軸の略半円形状の第２の突起と、
を含み、
前記第２の突起が、前記カッターの前記第１の側面に実質的に接触しており、前記第２の部分に対する前記カッターの回転を容易にする軸受面として機能するように構成されている工具。
【００７７】
付記項１５
前記本体部分に連結され、前記カッターの前記第２の側面の大部分を覆うハウジングをさらに備え、
前記ハウジングに、前記カッターの前記第２の側面と選択的に連絡する少なくとも１つのハウジングスロットが形成されており、
前記ハウジングが、
第１の高さを有する、前記回転軸線と実質的に同軸の略リング形状の第１の突起と、
前記ハウジングスロットの近傍にある周縁部分と、
複数の支柱部分と、
を含み、
前記第１の突起、前記周縁部分及び前記支柱部分がそれぞれ、前記カッターの前記第１の側面に実質的に接触しており、前記ハウジングに対する前記カッターの回転を容易にする軸受面として機能するように構成されている、
付記項１４に記載の工具。
【００７８】
付記項１６
少なくとも１本のワイヤの周囲に巻き付けられたタイラップの切断に使用される工具であって、
ハンドル空隙部が形成されたハンドルと、
前記ハンドルに対して前記アームが動くように前記ハンドルに連結された第１の部分を有する少なくとも１つのアームと、
を備え、
前記アームが、実質的に前記ハンドル空隙部内の収納位置と前記ハンドル空隙部から実質的に外側に延在する伸長位置との間で移動可能であり、
前記アームが、前記第１の部分から離間された第２の部分及び前記第２の部分に連結され、刃先を有するカッターを有し、
前記カッターには、第１の側面及び該第１の側面の略反対側にある第２の側面、並びに第１の部分及び第２の部分を有する略弓形の刃先が形成されており、
前記アームの前記第２の部分が、前記カッターの前記第１の側面の大部分を覆うシールドを有し、
前記シールドには、それぞれ前記カッターの前記刃先及び前記第１の側面と連絡する第１のシールドスロット及び第２のシールドスロットが形成されており、
前記アームに揺動可能に連結され、前記カッターの前記第２の側面の大部分を覆うハウジングを備え、
前記ハウジングには、それぞれ、前記カッターの前記刃先及び前記第２の側面と連絡する第１のハウジングスロット及び第２のハウジングスロットが形成されており、
前記ハウジングが、第１の位置に揺動可能であり、そこでは、前記第１のハウジングスロットが、前記第１のシールドスロットと実質的に連絡し、前記刃先の前記第１の部分が、タイラップの切断に使用するために露出され、前記第２のハウジングスロットが、前記第２のシールドスロットと実質的に連絡せず、前記刃先の前記第２の部分が実質的に覆われ、
前記ハウジングが、第２の位置に揺動可能であり、そこでは、前記第１のハウジングスロットが、前記第１のシールドスロットと実質的に連絡せず、前記刃先の前記第１の部分が実質的に覆われ、前記第２のハウジングスロットが、前記第２のシールドスロットと実質的に連絡し、前記刃先の前記第２の部分が、タイラップの切断に使用するために露出され、
前記ハウジングが、第３の位置に揺動可能であり、そこでは、前記第１のハウジングスロット及び前記第２のハウジングスロットの両方が、それぞれ前記第１のシールドスロット及び前記第２のシールドスロットと実質的に連絡せず、前記刃先の前記第１の部分及び前記第２の部分が実質的に覆われる工具。
【００７９】
付記項１７
前記少なくとも１つのアームが、第２のアームを含み、該第２のアームが、
第１の部分及び該第１の部分から離間された第２の部分と、
前記第２のアームの前記第２の部分に連結されたカッターであって、第１の側面及び該第１の側面の略反対側にある第２の側面並びに弓形の刃先が形成された、カッターと、
を有する、第２のアームをさらに備え、
前記第２のアームの前記第２の部分が、前記第２のアームの前記カッターの前記第１の側面の大部分を覆うシールドを有し、
前記第２のアームの前記シールドには、前記第２のアームの前記刃先の部分を露出させる少なくとも１つのシールドスロットが形成されており、
前記第２のアームに揺動可能に連結され、前記第２のアームの前記カッターの前記第２の側面の大部分を覆うハウジングをさらに備え、
前記第２のアームの前記ハウジングには、前記第２のアームの前記刃先と連絡するハウジングスロットが形成されており、
前記第２のアームの前記ハウジングが、第１の位置に揺動可能であり、そこでは、前記第２のアームの前記ハウジングスロットが、前記第２のアームの前記シールドスロットと実質的に連絡し、前記第２のアームの前記刃先の前記部分が、タイラップの切断に使用するために露出され、
前記第２のアームの前記ハウジングが、第２の位置に揺動可能であり、そこでは、前記第２のアームの前記ハウジングスロットが、前記第２のアームの前記シールドスロットと実質的に連絡せず、前記第２のアームの前記刃先の前記部分が実質的に覆われる、
付記項１６に記載の工具。
【００８０】
付記項１８
少なくとも１本のワイヤの周囲に巻き付けられた、側部分を有するタイラップを切断するための切断工具を操作する方法であって、
本体部材を用意するステップであって、該本体部材が、該本体部材に回転可能に連結されたカッター及び該カッターの第１の側面を実質的に覆うシールドを有し、前記シールドには、前記カッターの略弓形の刃先の部分と連絡する少なくとも１つのシールドスロットが形成されている、ステップと、
前記本体部材に揺動可能に連結されたハウジングを用意するステップであって、前記ハウジングが、前記カッターの第２の側面の大部分を覆い、前記カッターの前記刃先と連絡する少なくとも１つのハウジングスロットが形成されている、ステップと、
第１の位置に前記ハウジングを動かすステップであって、前記ハウジングスロットが前記シールドスロットと実質的に連絡せず、前記刃先の前記部分が実質的に覆われる、ステップと、
第２の位置に前記ハウジングを動かすステップであって、前記ハウジングスロットが前記シールドスロットと実質的に連絡し、前記刃先の前記部分がタイラップの切断に使用するために露出される、ステップと、
前記刃先の近傍から前記ワイヤを離間させるステップと、
前記ワイヤを切断することなく前記タイラップを少なくとも部分的に切断するために、前記刃先を前記タイラップに押し付けるステップと、
を含む方法。
【００８１】
付記項１９
口部及び該口部に実質的に対向する床部分を有する前記少なくとも１つのハウジングスロット又は前記少なくとも１つのシールドスロットを用意するステップであって、前記口部が、第１の幅を有し、前記床部分が、第２の幅を有し、前記第２の幅が、前記第１の幅よりも大きく、壁部分が、前記床部分に対して実質的な鋭角を成して前記口部の近傍から前記床部分の近傍まで延在する、ステップと、
前記少なくとも１本のワイヤと略平行な動作を用いて前記本体部材を動かすステップと、
前記タイラップを前記壁部分に係合させるステップと、
前記刃先によって前記タイラップの前記側部分を切断するステップと、
前記タイラップの前記側部分の切断部分を前記床部分に向かって摺動させるステップと、
をさらに含む、付記項１８に記載の方法。
【００８２】
付記項２０
複数の細長いワイヤ上のタイラップを切断するための切断工具を操作する方法であって、
細長い本体部材であって、該本体部材に回転可能に連結された、刃先を有するカッター及び前記本体部材に揺動可能に連結されたハウジングを有し、該ハウジングが、前記カッターの第１の側面を実質的に覆い、前記ハウジングに、それぞれ前記刃先を選択的に露出させる第１のハウジングスロット及び第２のハウジングスロットが形成されている、細長い本体部材を用意するステップと、
前記刃先の第１の部分を露出させるために前記第１のハウジングスロット及び前記第２のハウジングスロットの一方を選択するステップと、
前記第１のハウジングスロット及び前記第２のハウジングスロットのうちの選択された方が、前記刃先の前記第１の部分を露出させ、これと同時に、前記第１のハウジングスロット及び前記第２のハウジングスロットのうちの選択されていない方の近傍にある前記刃先の第２の部分が実質的に覆われるように前記ハウジングを揺動させるステップと、
前記ワイヤと略平行になるように前記本体部材を位置合わせするステップと、
前記ハウジング及び前記本体部材の少なくとも一方を用いて前記刃先の近傍からワイヤを離間させるステップと、
前記ワイヤを切断することなく前記タイラップを少なくとも部分的に切断するために前記刃先の前記第１の部分を前記タイラップに押し付けるステップと、
を含む方法。
【符号の説明】
【００８３】
１０  切断工具、１２  タイラップ、１３  ワイヤ、１３ａ  一束のワイヤ、１４  細長部分、１６  固定機構、２０  ハンドル、２２  ハンドル空隙部、２６  アーム、２６ａ  把持部、２８  アームの第１の部分、３２  ハンドルの軸、３４  開口部、３５  アームのスロット、３８  平坦部、４０  アームの第２の部分、４２  カッター、４２ａ  回転軸線、４４  刃先、４６  第１の側面、４８  第２の側面、５０  シールド、５２，５４  シールドスロット、５２ａ，５４ａ  シールドの凹所、６０  ハウジング、６０ａ  周縁部、６０ｂ  表面、６０ｃ，６０ｄ，６０ｅ  支柱部、６０ｆ  ハウジングのボス部、６０ｇ  隙間、６２，６４  ハウジングスロット、６２ａ，６４ａ  ハウジングの凹所、６６  中央孔、６６ａ  シールド中央孔、６８  軸、７０，７６  頭付ファスナ、７２  雌ネジ付シャフト部分、７４  雄ネジ付シャフト部分、７８  ワッシャ、８０  ロッキング部材、８２  隆起部、８４，８６，８８  ノッチ、９０  通路、９４  ロッキングタブ、９６  足、９８ａ，９８ｂ  障壁、１００  シールドのボス部、１０２  突起、１１０，１１２，１１４  シールドのスペーサ部、１２０，１２２，１２４  ハウジングのスペーサ、１２０ａ，１２２ａ，１２４ａ  先端、１３０  口部、１３２  床部、１３４  第１の側壁、１３６  第２の側壁、１３６ａ  第１の壁部分、１３６ｂ  第２の壁部分、１４０  ストラップ、１４２  ストラップ用のスロット、１４４  バックル、１５０  第２のアーム、１５０ａ  タブ、１５０ｂ  タブの凹所、１５２，１５４  第２のアームのシールドのスロット、１６０  第２のアームの開口部、１６２  第２のアームのスロット、１７０  第２のアームのカッター、１７４  第２のアームのハウジング、１７６  第２のアームのハウジングのスロット、１７８  第２のアームのロッキング部材、１８０  第２のアームのノッチ、２０２  航空機、２１８  機体、２２０  システム、２２２  内部、２２４  推進システム、２２６  電気システム、２２８  油圧システム、２３０  環境システム、Ｄ  スロットの床部の幅、ｈ  回転軸線からスペーサの先端までの距離、ｒ  カッターの半径、Ｓ  後退距離、Ｕ  使用者、ｗ  スロット幅
【図１】
2015080723.tif 000004
【図２】
2015080723.tif 000005
【図３Ａ】
2015080723.tif 000006
【図３Ｂ】
2015080723.tif 000007
【図４】
2015080723.tif 000008
【図５】
2015080723.tif 000009
【図６】
2015080723.tif 000010
【図７Ａ】
2015080723.tif 000011
【図７Ｂ】
2015080723.tif 000012
【図８Ａ】
2015080723.tif 000013
【図８Ｂ】
2015080723.tif 000014
【図９】
2015080723.tif 000015
【図９Ａ】
2015080723.tif 000016
【図１０】
2015080723.tif 000017
【図１１】
2015080723.tif 000018
【図１２】
2015080723.tif 000019
【図１３】
2015080723.tif 000020
【図１４】
2015080723.tif 000021
【図１５】
2015080723.tif 000022
【図１６】
2015080723.tif 000023
【外国語明細書】
2015080723000001.pdf